(57)【要約】【課題】対象者が、携帯端末や携帯電話機を所持することを忘れて外出しようとした場合には通行制御を行い、これを対象者に報知して注意を行なう。【解決手段】対象者に所持される携帯端末と、携帯端末と通信する監視装置とを有し、携帯端末は、近距離無線信号により監視装置と通信する通信手段と対象者の生体情報を監視するバイタルセンサを有し、監視装置から所持確認要請信号を受信すると、バイタルセンサにより所持を確認して所持信号を送信する。監視装置は、近距離無線信号により前記携帯端末と通信する通信手段を有し、人体検知手段から人体検知信号を受信すると、所持確認要請信号を携帯端末に送信し、その後、携帯端末より所持信号を受信すると出入口の通行を制御する通行制御手段を動作させて出入口から通行可能にする。【選択図】図１
2005346200.tif 000002
【特許請求の範囲】
【請求項１】
対象者に所持される携帯端末と、前記携帯端末と通信する監視装置と有する通報システムであって、
前記携帯端末は、
近距離無線信号により前記監視装置と通信する通信手段と
対象者の生体情報を監視するバイタルセンサを有し、
前記通信手段により前記監視装置からの所持確認要請信号を受信すると、前記バイタルセンサにより所持を確認して前記通信手段により所持信号を送信し、
前記監視装置は、近距離無線信号により前記携帯端末と通信する通信手段とを有し、
人体検知手段から検知信号を受信すると、前記通信手段にて所持確認要請信号を送信し、その後、前記携帯端末より所持信号を受信すると出入口の通行を制御する通行制御手段を動作させて出入口から通行可能にすることを特徴とする通報システム。
【請求項２】
前記監視装置は、さらに操作手段を有し、
前記人体検知手段が移動体を検知したときに前記携帯端末から所持信号を受信しない場合に、前記操作手段が操作されたとき、前記通行制御手段を動作させて出入口からの通行を可能にすることを特徴とする請求項１記載の通報システム。
【請求項３】
前記監視装置は、さらに表示手段を有し、
前記人体検知手段が移動体を検知したときに前記携帯端末から所持信号を受信しない場合に、前記表示手段に警告を表示することを特徴とする請求項１又は２記載の通報システム。
【発明の詳細な説明】
【技術分野】
【０００１】
本発明は、身体に異常が発生した場合や非常事態発生時に位置情報とともに通報する通報システムであって、特に、対象者が携帯端末を所持し忘れて外出しようとしている場合に、これを報知するようにした通報システムに関する。
【背景技術】
【０００２】
従来、安全確認の対象者に無線式の非常通報装置や非常通報機能を有する携帯電話機などの携帯端末を携帯させ、非常事態が発生したときには携帯端末の非常通報スイッチを操作すれば、非常信号が所定の監視装置に自動的に送信されるようにした非常通報装置やシステムが実用化されている。
また、脈拍数や血圧などの生体データを常時監視するバイタルセンサとＧＰＳなどの位置情報検知装置を搭載した健康管理装置を身体に装着し、バイタルセンサが身体の異常を検出すると対象者の位置情報とともに異常信号を監視センタに通報する救急通報システムが提案されている。（特許文献１）
【特許文献１】特開２００２−２６９６６２号公報
【発明の開示】
【発明が解決しようとする課題】
【０００３】
解決しようとする課題は、対象者が外出するときにこれらの携帯端末や携帯電話機を所持する必要があるが、所持することを忘れて外出してしまった場合には、非常通報や救急通報システムが利用できないということに鑑み、対象者が携帯端末を所持せずに外出しようとした場合には、これを対象者に報知して注意を行なうことにある。
【課題を解決するための手段】
【０００４】
本発明の通報システムに適用される携帯端末は、対象者に所持される携帯端末と、前記携帯端末と通信する監視装置と有する通報システムであって、前記携帯端末は、近距離無線信号により前記監視装置と通信する通信手段と対象者の生体情報を監視するバイタルセンサを有し、前記通信手段により前記監視装置からの所持確認要請信号を受信すると、前記バイタルセンサにより所持を確認して前記通信手段により所持信号を送信し、前記監視装置は、近距離無線信号により前記携帯端末と通信する通信手段とを有し、人体検知手段から検知信号を受信すると、前記通信手段にて所持確認要請信号を送信し、その後、前記携帯端末より所持信号を受信すると出入口の通行を制御する通行制御手段を動作させて出入口から通行可能にすることを特徴とする。
【０００５】
また、好ましくは、前記監視装置は、さらに操作手段を有し、前記人体検知手段が移動体を検知したときに前記携帯端末から所持信号を受信しない場合に、前記操作手段が操作されたとき、前記通行制御手段を動作させて出入口からの通行を可能にすることを特徴とする
【０００６】
さらに、好ましくは、前記監視装置は、さらに表示手段を有し、前記人体検知手段が移動体を検知したときに前記携帯端末から所持信号を受信しない場合に、前記表示手段に警告を表示することを特徴とする。
【発明の効果】
【０００７】
本発明の通報システムによれば、対象者が携帯端末を所持せずに外出しようとした場合にはこれを検知して警報を発することができるので、対象者が携帯端末を置いて外出してしまうことを防止することができる。
【発明を実施するための最良の形態】
【０００８】
対象者が携帯端末を所持せずに外出しようとした場合にこれを報知することができる通報システムを実現した。
【実施例１】
【０００９】
図１は、本発明の通報システムの全体構成を示す。通報システムは、対象者が所持する携帯端末１と、対象者の自宅等の屋内に設置された監視装置２、遠隔の監視センタ３が携帯電話網４、インターネット、専用網などの通信網６に接続される。
【００１０】
携帯端末１は対象者に所持される。携帯端末１は、ＧＰＳ衛星５から受信したＧＰＳ信号から緯度・経度情報からなる位置情報を算出し、また、対象者の身体に異常が発生した場合に通信網６や携帯電話網４を介して監視センタ３に信号を送信する。
監視装置２は建物の出入り口付近に設置された人体検知センサ２１及び出入り口扉に設置された通行制御手段である電気錠コントローラ２２と接続されている。
【００１１】
監視センタ３は、対象者の家族等からの依頼を受けて、その携帯端末１の位置情報を確認する。監視センタ３は、警備保障会社など、複数の対象者に安全確認のサービスを提供する組織により管理運営される。監視センタ３では、携帯端末１を所持する対象者が無断で外出した場合に、携帯端末１とアクセスすることによりその現在位置を知ることができ、何らかの対処が必要だと判断した場合には、監視センタ３から所定の対処用端末に必要なデータを送信して対処員に監視対象者への適切な対処を指示する。このとき、対処員には、対処内容と対象者の位置を示す地図が送信される。
【００１２】
監視センタ３から、追跡信号を携帯端末１に対して送信する。かかる追跡信号を受信した携帯端末１は、所定時間ごとに順次現在位置を取得して監視センタ３に返信する。このようにして、携帯端末１の現在位置を監視センタ３にて把握することにより、適宜に対処者を現地に向かわせて対処者の徘徊を監視・保護することが可能となる。
ここで、対処者は図示しない対処用端末を所持しており、監視センタ３から対処用端末に送信される現在位置を見て、対象者の救急活動を行う。
【００１３】
次に、携帯端末１の構成を説明する。図２は、携帯端末１の機能ブロックを示す図である。携帯端末１は、ＧＰＳ信号、携帯電話網４及び監視装置２と各種信号などの無線信号を送受信する空中線に接続されるＲＦ部１０１と、ＲＦ部１０１を経由してＧＰＳ衛星５が送信しているＧＰＳ信号を受信するＧＰＳ受信部１０２と、ＲＦ部１０１を経由して携帯電話網４と無線信号を送受信する第１送受信部１０３と、ＲＦ部１０１を経由して監視装置２と無線信号を送受信する第２送受信部１０４と、携帯端末１の利用者即ち対象者が各種の操作入力をする操作部１０６と、対象者の血圧、脈拍数、体温、心電、呼吸数などの生体情報を測定するバイタルセンサ１０７と、携帯端末１の動作を制御するための各種アプリケーション、オペレーションシステム、ユーザー登録データ等を記憶するＲＯＭ・ＲＡＭ等からなる記憶部１０８と、携帯端末１の状態等を表示するＬＥＤからなる表示部１０９と、ブザー音を発生するブザー１１０と、バイブレータ１１１、各部に電源を供給する電池１１２、及びこれらを制御する制御部１０５から構成されている。
操作部１０６は、電源スイッチ及び非常通報スイッチから構成されている。
【００１４】
次に監視装置２の構成を説明する。図３は、監視装置２の機能ブロックを示す図である。
監視装置２は、マイクロプロセッサ（ＭＰＵ）、半導体メモリ及びインターフェース回路でなるコンピュータで構成される制御部２００、各種スイッチ等である操作部２０１、液晶画面やＬＥＤ等である表示部２０２、半導体メモリ内の記憶領域である記憶部２０３、通信網６と接続する通信部２０４、移動体検知センサ２１からの信号を受信するセンサＩ／Ｆ２０５、電気錠コントローラ２２と接続するための電気錠Ｉ／Ｆ２０６、携帯端末１と無線信号を送受信する空中線に接続されるＲＦ部２０７、ＲＦ部２０７を経由して携帯端末１と無線信号を送受信する送受信部２０８から構成される。
送受信部２０８は、所持確認要請信号を携帯端末１へ送信し、所持信号あるいは非所持信号を携帯端末１から受信する。
【００１５】
次に、携帯端末１、監視装置２及び監視センタ３の動作を図４及び図５に示す動作フロー図を参照して詳しく説明する。
携帯端末１は、例えば腕時計型に構成して、対象者が外出する際に手首に装着するようにする。
対象者が外出する際に、通過する出入り口付近に設置している人体検知センサ２１が対象者を検知する（ステップＳ００１）。
監視装置２は、センサＩ／Ｆ２０５を介して移動体検知信号を受信すると、送受信部２０８を介してＲＦ部２０７から携帯端末１に所持確認要請信号を送信する（ステップＳ００２）。
【００１６】
携帯端末１はＲＦ部１０１及び第２送受信部を介して所持確認要請信号を受信すると、バイタルセンサ１０７の信号を取り込み携帯端末１が対象者の身体に装着されているか否かを判定する（ステップＳ１０２）。そして、携帯端末１は、身体に装着されていると判定した場合には、第２送受信部１０４及びＲＦ部１０１を介して所持信号を監視装置２に送信する。
【００１７】
監視装置２は、携帯端末１からの所持信号を受信すると電気錠Ｉ／Ｆ２０６より電気錠の解錠信号を電気錠コントローラ２２に送出する。
電気錠コントローラ２２は監視装置２から解錠信号を受信すると、出入り口に設置している電気錠を解錠する。
【００１８】
以上のとおり、対象者は携帯端末１を身体に装着している場合には、何等操作を行なうことなく出入口を通過して外出することができる。
【００１９】
次に、対象者が携帯端末１を身体に装着せずに外出しようとした場合について説明する。
携帯端末１は、携帯端末１はＲＦ部１０１及び第２送受信部１０４を介して所持確認要請信号を受信すると、バイタルセンサ１０７の信号を取り込み携帯端末１が対象者の身体に装着されているか否かを判定する（ステップＳ１０２）。そして、携帯端末１は、身体に装着されていないと判定した場合には、第２送受信部１０４及びＲＦ部１０１を介して非所持信号を監視装置２に送信する。
【００２０】
監視装置２では、所持信号を受信しない場合（非所持信号を受信した場合を含む）（ステップＳ００３のＮＯ）には表示部２０２を構成するブザーにて警告音を発声するとともに液晶画面にその旨を表示する。
対象者は、監視装置２に表示された警告表示をみて、携帯端末１を所持していないことに気がつくことができる。
【００２１】
ここで、対象者の意思により携帯端末１を所持せずに外出する場合や非対象者が外出する場合には、監視装置２に非所持の表示がされた後、操作部２０１を操作して電気錠を解錠操作する（ステップＳ００６）。監視装置２は、電気錠Ｉ／Ｆ２０６から電気錠の解錠信号を電気錠コントローラ２２に送出する。電気錠コントローラ２２は監視装置２から解錠信号を受信すると、出入り口に設置している電気錠を解錠する。
【００２２】
なお、操作部２０１における解錠操作はパスワードの入力やカード読取り操作でもよい。この場合、制御部２００にて、予め登録されているパスワードやカード情報と比較照合し、照合結果がＯ．Ｋ．のときに電気錠Ｉ／Ｆ２０６から電気錠コントローラ２２へ解錠信号を送信するようにしてもよい。
【００２３】
以上のように、非対象者は、監視装置２の操作部２０１の解錠ボタンを操作することにより、電気錠を解錠して外出することができる。
【００２４】
尚、携帯端末１の制御部１０５は、常時、バイタルセンサ１０７により対象者の生体情報の変化を監視し、バイタルセンサ１０７が異常を検知した場合には、表示部１０９にて異常表示を行い、ブザー１１０を鳴動、バイブレータ１１１を振動させて対象者に異常状態を検出したことを知らせる。そして、携帯端末１は、以下に説明するように通報動作を行う。
【００２５】
制御部１０５は、ＧＰＳ受信部１０２を動作させて、ＧＰＳ衛星５からのＧＰＳ信号を受信し、携帯端末１の緯度・経度を算出し、その算出した時間情報とともに記憶部１０８に記憶する。
そして、携帯端末１の識別コード及びバイタルセンサ１０７の異常信号とともに位置情報を第１送受信部１０３、ＲＦ部１０１から携帯電話網４に送出する。
監視センタ３では、携帯電話網４、通信網６を介して異常信号を受信すると、警報出力するとともに、携帯端末１の移動軌跡を示した地図情報、監視対象者の氏名、特徴、住所、携帯端末の電話番号、緊急連絡先電話番号などのデータをＣＲＴ等の表示装置へ表示するとともにスピーカから警報音を出力する。監視センタ３では、監視対象者に最寄の対処員に指示を行い、対処員の所持する図示しない対処用端末に当該対象者の現在位置情報とともに氏名、年齢、特徴、住所等の捜索に必要な情報を送信して表示させることで捜索が容易になる。
【図面の簡単な説明】
【００２６】
【図１】徘徊者通報システムの全体構成図
【図２】携帯端末の機能ブロック図
【図３】監視装置の機能ブロック図
【図４】監視装置の動作フロー図
【図５】携帯端末の動作フロー図
【符号の説明】
【００２７】
１・・・携帯端末      ２・・・監視装置      ３・・・監視センタ  
４・・・携帯電話網    ５・・・ＧＰＳ衛星      ６・・・通信網      
２１・・・人体検知センサ  ２２・・・電気錠コントローラ      
１０１・・・ＲＦ部    １０２・・・ＧＰＳ受信部    １０３・・・第１送受信部  １０４・・・第２送受信部
１０５・・・制御部    １０６・・・操作部      １０７・・・バイタルセンサ
１０８・・・記憶部    １０９・・・表示部      １１０・・・ブザー
１１１・・・バイブレータ    １１２・・・電池    ２０１・・・操作部
２０２・・・表示部      ２０３・・・記憶部      ２０４・・・通信部
２０５・・・センサＩ／Ｆ    ２０６・・・電気錠Ｉ／Ｆ    ２０７・・・ＲＦ部
２０８・・・送受信部
【図１】
2005346200.tif 000003
【図２】
2005346200.tif 000004
【図３】
2005346200.tif 000005
【図４】
2005346200.tif 000006
【図５】
2005346200.tif 000007